(57)【特許請求の範囲】
【請求項１】
下面が開口する箱状に形成され、少なくとも側壁に放熱用のスリットが設けられた器具本体と、
前記器具本体の開口端縁に当接する形で前記器具本体に着脱自在に取り付けられる枠体と、
Ｖ字状に拡開する２本の腕部を有し、両腕部の連結部位で前記枠体に取り付けられる複数のキックバネと、
前記各キックバネにそれぞれ対応する形で前記器具本体の側壁に設けられ、前記各キックバネの前記両腕部をそれぞれ保持する一対のバネ受け片を有する複数のバネ受け部とを備え、
前記枠体が前記器具本体の開口端縁に当接した状態では前記各キックバネの前記両腕部が互いに離れる方向に拡開し、前記枠体が前記器具本体の開口端縁から離れた状態では前記各キックバネの前記両腕部が互いに近づく方向に撓められるとともに、前記両腕部の先端からそれぞれ外側へ突出する引掛片を対応する前記バネ受け片に引っ掛けることで前記枠体が前記器具本体に仮保持され、
前記スリットのうち前記キックバネの可動範囲内に設けられたスリットは、前記枠体の着脱方向における開口寸法が前記引掛片の長さ寸法よりも小さく設定されていることを特徴とする照明器具。
【請求項２】
前記スリットは、前記各バネ受け部の配置部位を除くように設けられていることを特徴とする請求項１記載の照明器具。
【発明の詳細な説明】
【技術分野】
【０００１】
本発明は、照明器具に関するものである。
【背景技術】
【０００２】
従来より、天井に埋込配設される照明器具が提供されている（例えば特許文献１参照）。この照明器具は、下面が開口する矩形箱状の器具本体と、器具本体の開口端縁に当接する形で器具本体に取り付けられる矩形枠状の枠体とを備える。枠体の対向する２辺には、Ｖ字状に拡開する２本の腕部を有するキックバネがそれぞれ取り付けられており、器具本体の対向する２つの側壁には、キックバネの両腕部をそれぞれ保持する一対のバネ受け片を有するバネ受け部が各キックバネに対応する形で設けられている。
【０００３】
この照明器具では、枠体を器具本体に取り付ける際には、まず一方のキックバネの両腕片を互いに近づく方向に撓めて一対のバネ受け片間に挿通させた後、両腕片に加えた力を取り除くとともに各腕片の先端に設けられた抜け止め片を上記一対のバネ受け片にそれぞれ引っ掛ける。また、もう１つのキックバネも同様にして、各抜け止め片がそれぞれ対応するバネ受け片に引っ掛かる状態に配置し、その後、枠体を上方に押し上げることで枠体が器具本体の開口端縁に当接した状態になる。
【先行技術文献】
【特許文献】
【０００４】
【特許文献１】特開平７−２３５２１０号公報（段落［００１３］−段落［００１８］、及び、第１，２図）
【発明の概要】
【発明が解決しようとする課題】
【０００５】
上述の特許文献１に示した照明器具では、器具本体の内部に光源を収納しているため、光源で発生する熱を放熱するためのスリットを器具本体に設ける必要がある。この場合、スリットを設ける位置や形状によってはキックバネの上記抜け止め片がスリットに引っ掛かる可能性があり、そのためキックバネが変形して操作性が低下する虞があった。
【０００６】
本発明は上記問題点に鑑みて為されたものであり、その目的とするところは、枠体を器具本体に取り付けるためのキックバネの変形を抑えた照明器具を提供することにある。
【課題を解決するための手段】
【０００７】
本発明の照明器具は、下面が開口する箱状に形成され、少なくとも側壁に放熱用のスリットが設けられた器具本体と、器具本体の開口端縁に当接する形で器具本体に着脱自在に取り付けられる枠体と、Ｖ字状に拡開する２本の腕部を有し、両腕部の連結部位で枠体に取り付けられる複数のキックバネと、各キックバネにそれぞれ対応する形で器具本体の側壁に設けられ、各キックバネの両腕部をそれぞれ保持する一対のバネ受け片を有する複数のバネ受け部とを備え、枠体が器具本体の開口端縁に当接した状態では各キックバネの両腕部が互いに離れる方向に拡開し、枠体が器具本体の開口端縁から離れた状態では各キックバネの両腕部が互いに近づく方向に撓められるとともに、両腕部の先端からそれぞれ外側へ突出する引掛片を対応するバネ受け片に引っ掛けることで枠体が器具本体に仮保持され、スリットのうちキックバネの可動範囲内に設けられたスリットは、枠体の着脱方向における開口寸法が引掛片の長さ寸法よりも小さく設定されていることを特徴とする。
【０００８】
この照明器具において、スリットは、各バネ受け部の配置部位を除くように設けられているのが好ましい。
【発明の効果】
【０００９】
枠体を器具本体に取り付けるためのキックバネの変形を抑えた照明器具を提供することができるという効果がある。
【図面の簡単な説明】
【００１０】
【図１】本実施形態の照明器具の施工例を示す分解斜視図である。
【図２】同上の一部省略せる分解斜視図である。
【図３】（ａ），（ｂ）は同上の要部拡大図である。
【図４】同上を示し、（ａ）は上面図、（ｂ）は下面図である。
【発明を実施するための形態】
【００１１】
以下に、照明器具の実施形態を図１〜図４に基づいて説明する。本実施形態の照明器具Ａは、例えば図１に示すように天井１００に埋込配設される埋込型の照明器具であり、室内空間を照明するために用いられる。なお、図２は光源部２３を省略しているが、実際には図１に示すように枠体２０の枠内に光源部２３が配置される。
【００１２】
本実施形態の照明器具Ａは、図１に示すように本体ユニット１と光源ユニット２とで構成される。
【００１３】
本体ユニット１は、下面に開口部１０ａを有する矩形箱状の器具本体１０と、光源ユニット２側に点灯電力を供給する点灯装置１１と、天井裏に先行配線された電源線Ｌ１が接続される端子台１２と、天井裏に先行配線された信号線Ｌ２が接続される端子台１３と、後述のキックバネ２１を保持するバネ受け部１４とを備える。
【００１４】
器具本体１０は、例えば金属材料により矩形箱状に形成され、上面の略中央には天井１００から垂下された２本のボルトＢ１，Ｂ１がそれぞれ挿通されるねじ挿通孔１０ｂ，１０ｂが設けられている（図２及び図４（ａ）参照）。また、器具本体１０の上面において各ねじ挿通孔１０ｂ，１０ｂの近傍には、電源線Ｌ１又は信号線Ｌ２の何れかが挿通される電線挿通孔１０ｃ，１０ｃがそれぞれ設けられるとともに、横長且つ矩形状に形成された複数（図４（ａ）では１８個）の放熱用のスリット１０ｄが設けられている（図２及び図４（ａ）参照）。
【００１５】
さらに、器具本体１０の対向する２つの側壁には、横長且つ矩形状に形成された複数（図１では１８個）の放熱用のスリット１０ｄが設けられ、また残りの２つの側壁には、横長且つ矩形状に形成された複数（図１では１０個）の放熱用のスリット１０ｄが、後述のバネ受け部１４の配置部位を除くようにして設けられている。
【００１６】
バネ受け部１４は、図１及び図３に示すように横長且つ矩形板状に形成された主片１４ｂを有し、主片１４ｂの上端縁には、当該主片１４ｂと直交する方向に延出するＵ字状の一対のバネ受け片１４ａ，１４ａが、所定の間隔を空けて互いに対向する形で設けられている。このバネ受け部１４は、図１に示すように、器具本体１０の対向する２つの側壁に、それぞれ２個ずつ取り付けられている（図１では一方のみ図示）。
【００１７】
点灯装置１１及び端子台１２，１３は、図１に示すように器具本体１０の上面の所定位置に取り付けられている。そして、端子台１２，１３の各出力端子と、点灯装置１１の入力端子との間が電線（図示せず）により接続されるとともに、点灯装置１１の出力端子にはコネクタ１５が電気的に接続されている。また、端子台１２の入力端子には、電線挿通孔１０ｃを通して内部に導入された電源線Ｌ１が接続され、端子台１３の入力端子には、電線挿通孔１０ｃを通して内部に導入された信号線Ｌ２が接続される。
【００１８】
一方、光源ユニット２は、器具本体１０の開口部１０ａの開口端縁に当接する形で器具本体１０に着脱自在に取り付けられる矩形枠状の枠体２０と、枠体２０を器具本体１０に取り付けるための複数（図１では４個）のキックバネ２１と、枠体２０の枠（開口）内に配置される光源部２３と、光源部２３の前面側（図１中の下面側）に配置される透光パネル２４（図４（ｂ）参照）とを備える。
【００１９】
枠体２０は、例えば金属材料により矩形枠状に形成され、対向する２つの枠辺にはキックバネ２１がそれぞれ２個ずつ設けられており、これらのキックバネ２１を用いて器具本体１０に取り付けられる。なお、施工手順については後述する。
【００２０】
キックバネ２１は、図１〜図３に示すようにＶ字状に拡開する２本の腕部２１ａ，２１ａを有し、両腕部２１ａ，２１ａは基端側（図３（ｂ）中の下側）でコイル部２１ｃにより一体に連結されている。また、各腕部２１ａ，２１ａの先端には、それぞれ外側に向かって突出する引掛片２１ｂ，２１ｂが一体に設けられている。ここにおいて、枠体２０の対向する２つの枠辺には、横長且つ矩形板状に形成された取付金具２２，２２がそれぞれねじ固定されており、各キックバネ２１は、それぞれコイル部２１ｃが移動自在となるような形で取付金具２２の所定位置に取り付けられている。
【００２１】
光源部２３は、図１及び図４（ｂ）に示すように、例えば反射率の高い白色塗装が施された鋼板からなり、外形寸法が枠体２０の開口寸法と略同寸法に設定された矩形枠状の反射板２３０を有し、反射板２３０の枠（開口）内には複数（図４（ｂ）では２５個）のＬＥＤチップ２３１ａが実装された複数（図４（ｂ）では４枚）のＬＥＤ基板２３１が配置されている。各ＬＥＤ基板２３１の前面には、各ＬＥＤチップ２３１ａから照射された光を前方に反射させる反射板２３１ｂが配置されており、またＬＥＤ基板２３１の後面側にはＬＥＤ基板２３１で発生する熱を放熱させる放熱板２３２が配置されている。なお、上記の各ＬＥＤ基板２３１にはコネクタ２５が電気的に接続されており、このコネクタ２５に上記のコネクタ１５を接続することで点灯装置１１から各ＬＥＤ基板２３１に点灯電力が供給される。また、上記の反射板２３１ｂは、例えば反射率の高い白色のポリカーボネート樹脂からなる。
【００２２】
透光パネル２４は、例えばアクリルなどの透光性材料により矩形板状に形成され、外形寸法が枠体２０の開口寸法と略同寸法に設定されており、光源部２３の前方に配置される。つまり、光源部２３から照射された光は、透光パネル２４を透過して外部に照射される。
【００２３】
次に、照明器具Ａの施工手順について図１を参照しながら説明する。なお、以下の説明では、点灯装置１１、端子台１２，１３及びバネ受け部１４が器具本体１０に予め取り付けられ、またキックバネ２１、光源部２３及び透光パネル２４が枠体２０に予め取り付けられているものとして説明する。
【００２４】
天井１００に設けられた埋込孔１００ａに器具本体１０を埋め込むと同時に、器具本体１０の上面に設けたねじ挿通孔１０ｂ，１０ｂにボルトＢ１，Ｂ１をそれぞれ挿通させた後、ワッシャーＷ１及びナットＮ１を用いて器具本体１０を天井１００に固定する。なおこのとき、天井裏に先行配線された電源線Ｌ１及び信号線Ｌ２を器具本体１０の上面に設けた電線挿通孔１０ｃ，１０ｃにそれぞれ挿通させて器具本体１０内に導入する。その後、電源線Ｌ１の各芯線を端子台１２の対応する入力端子に接続するとともに、信号線Ｌ２の各芯線を端子台１３の対応する入力端子に接続すると、本体ユニット１の取り付けが完了する。
【００２５】
続けて、光源ユニット２を本体ユニット１に組み付ける手順について説明する。枠体２０の一方の枠辺に設けられた各キックバネ２１の各腕部２１ａを、それぞれ器具本体１０の対応するバネ受け部１４の各バネ受け片１４ａの凹溝内に挿入し、各腕部２１ａの先端に設けた各引掛片２１ｂを、それぞれ対応するバネ受け片１４ａに引っ掛けて仮吊りする。次に、本体ユニット１側のコネクタ１５と、光源ユニット２側のコネクタ２５を接続した後、同様にして、枠体２０の他方の枠辺に設けられた各キックバネ２１を、それぞれ器具本体１０の対応するバネ受け部１４に引っ掛けて仮吊りする。そして最後に、光源ユニット２を本体ユニット１側に近づけていくと（図２中の矢印ａの向き）、枠体２０が器具本体１０の開口端縁に当接した状態になり、光源ユニット２の組み付けが完了する。
【００２６】
なおこのとき、各キックバネ２１は、図３（ａ）及び図３（ｂ）に示すように、それぞれ両腕部２１ａ，２１ａが互いに離れる方向（図３（ａ）中の矢印ｂ及び図３（ｂ）中の矢印ｃの方向）に拡開した状態になり、キックバネ２１のばね力で光源ユニット２が本体ユニット１に保持される。
【００２７】
逆に、光源ユニット２を本体ユニット１から取り外す場合には、まず光源ユニット２を下向き（本体ユニット１から離れる向き）に引っ張って仮吊り状態にする。なおこのとき、各キックバネ２１は、それぞれ両腕部２１ａ，２１ａが互いに近づく方向に撓められて、各腕部２１ａ，２１ａの先端に設けた引掛片２１ｂ，２１ｂがそれぞれ対応するバネ受け片１４ａ，１４ａに引っ掛けられた状態になる。そして最後に、各キックバネ２１の両腕部２１ａ，２１ａを内側に撓めて対応するバネ受け部１４からそれぞれ取り外すことで、光源ユニット２が本体ユニット１から取り外される。
【００２８】
ここで、光源ユニット２を本体ユニット１に組み付ける際には、図３（ａ）及び図３（ｂ）に示すように、各キックバネ２１の両腕部２１ａ，２１ａが互いに離れる方向に拡開するが、このとき各腕部２１ａの先端に設けた引掛片２１ｂが器具本体１０の側壁に設けたスリット１０ｄに引っ掛かる可能性がある。そこで、本実施形態では、キックバネ２１の可動範囲内に設けられたスリット１０ｄの上下方向（器具本体１０に対する枠体２０の着脱方向）の開口寸法Ｄ１を引掛片２１ｂの長さ寸法Ｌ１よりも小さく設定しており（Ｄ１＜Ｌ１）、そのためキックバネ２１の両腕部２１ａ，２１ａが拡開する際に引掛片２１ｂ，２１ｂがスリット１０ｄに引っ掛かるのを抑えることができる。その結果、キックバネ２１が変形するのを抑えられるとともに、キックバネ２１の変形に伴う操作性の低下を抑えることができる。
【００２９】
また、本実施形態では、器具本体１０の側壁においてバネ受け部１４の配置部位を除くようにスリット１０ｄを設けており、そのため器具本体１０に対するバネ受け部１４の取付強度が低下するのを抑えられることから、器具本体１０に対する枠体２０の取付強度が低下するのを抑えることができる。
【００３０】
なお、本実施形態では、矩形箱状に形成された器具本体１０を例に説明したが、器具本体１０の形状は本実施形態に限定されるものではなく、箱状であれば他の形状でもよい。また、キックバネ２１及びバネ受け部１４の個数についても本実施形態に限定されるものではなく、光源ユニット２の重量などに応じて適宜設定すればよい。
【００３１】
さらに、放熱用のスリット１０ｄの形状及び個数についても本実施形態に限定されるものではなく、キックバネ２１の両腕部２１ａ，２１ａの可動範囲内に設けられたスリット１０ｄの上下方向（器具本体１０に対する枠体２０の着脱方向）の開口寸法が、引掛片２１ｂの長さ寸法よりも小さく設定されていれば他の形状でもよい。また、本実施形態では、光源がＬＥＤの場合を例に説明したが、放熱が必要な光源であればよく、例えば白熱灯などであってもよい。
【符号の説明】
【００３２】
１０  器具本体
１０ｄ  スリット
１４  バネ受け部
２０  枠体
２１  キックバネ
２１ａ  腕部
２１ｂ  引掛片
２１ｃ  コイル部
Ａ  照明器具
【図１】
0005592805.tif 000002
【図２】
0005592805.tif 000003
【図３】
0005592805.tif 000004
【図４】
0005592805.tif 000005